(57)【要約】  発熱部が設けられ、該発熱部を制御する制御部が具備され、上面に案内管が形成された電気ポット本体と、電気ポット本体の上部に配置されるように、案内管に嵌め込まれ、発熱部の熱気を伝達される容器部材と、電気ポット本体に設けられ、容器に充填された湯の温度を感知する温度感知部と、制御部の信号を伝達され、湯の温度を表示するディスプレイ部と、からなり、容器部材を透明のガラス材で形成させ、容器部材を加熱する電気ポット本体に、赤外線光温度センサを備え、赤外線光温度センサで、容器部材の温度を測定して制御することにより、容器部材に温度センサを設けなくてもよいので、後始末及び洗浄が容易になり、異物が挟まらず、有害物質残存が防止される。
2019503830.tif 000002
【特許請求の範囲】
【請求項１】
水を加熱する電気ポットであり、
発熱部が設けられ、前記発熱部を制御する制御部が具備され、上面に案内管が形成された電気ポット本体と、
前記電気ポット本体の上部に配置されるように、前記案内管に嵌め込まれ、前記発熱部の熱気を伝達される容器部材と、
前記電気ポット本体に設けられ、前記容器に充填された湯の温度を感知する温度感知部と、
前記制御部の信号を伝達され、湯の温度を表示するディスプレイ部と、からなることを特徴とする赤外線光温度センサが設けられた電気ポットにおいて、
前記温度感知部は、前記容器に充填された湯の温度を感知する赤外線光温度センサであり、湯の温度を感知した感知信号を、前記制御部に伝達することを特徴とする赤外線光温度センサが設けられた電気ポット。
【請求項２】
前記電気ポット本体には、沸かした水を設定温度に維持するように、設定温度維持部がさらに設けられ、前記容器部材の水を１００℃に沸かした後、前記設定温度維持部が、入力された湯温度設定値信号を、前記制御部に送り、前記発熱部を制御し、湯が設定温度に維持されるようにすることを特徴とする請求項１に記載の赤外線光温度センサが設けられた電気ポット。
【発明の詳細な説明】
【技術分野】
【０００１】
本発明は、赤外線光温度センサが設けられた電気ポットに係り、さらに詳細には、容器部材を透明のガラス材で形成させ、容器部材を加熱する電気ポット本体に、赤外線光温度センサを備え、赤外線光温度センサで、容器部材の温度を測定して制御することにより、容器部材に温度センサを設けなくてもよいので、後始末及び洗浄が容易になり、異物が挟まらず、有害物質残存が防止される赤外線光温度センサが設けられた電気ポットに関する。
【背景技術】
【０００２】
周知されているように、事務室や家庭において、折につけてコーヒーやお茶をいれて飲むとき、電気湯沸し（一般的に、「電気ポット」と称する）を利用している。
【０００３】
かような電気湯沸しは、電気エネルギーを利用して、湯沸し内部にためられた水を、一般的に１００℃まで沸かして保温する器具であり、火を使わなくてもよいので、簡便であって危険も伴わず、短時間に熱湯になるので、生活必需品の一つとして位置付けられている。
【０００４】
かような電気湯沸しは、知られているように、水を加熱する発熱体として、バルクヒータまたはコイルヒータを使用しており、一般的に、電気湯沸しの容器下部に金属板が位置し、金属板の下部に、バルクヒータまたはコイルヒータのような発熱体が設けられ、通電状態により、金属板に熱を伝達することによって湯を沸かす。
【０００５】
すなわち、１個の温度センサ（バイメタル種類）が電気回路内に介在されており、電気湯沸し内に水を満たした後、電源を連結すれば、湯が沸くまで温度が上昇し、その後、湯の温度が一定温度以下に下がれば、温度センサによって電源が再び投入されながら、湯を保温する。
【０００６】
ところで、従来の電気湯沸しは、ユーザの意図とは係わりなく、無条件１つの温度、すなわち、１００℃温度にのみ限られており、ユーザが願う任意の温度には設定不可能であり、ユーザの多様な要求を満たすには不十分であるという問題点があった。
【０００７】
それにより、それを改良するために、韓国公開特許第２０００−００２８４４０号「温度設定が可能な電気ポット」が開示されている。
【０００８】
しかし、開示された改良技術は、制御のための設計が複雑であり、それにより、製造コストが上昇するという短所があり、温度を測定したり、一定温度に湯を維持させたりするために、温度感知センサが、加熱された湯に直接接触して感知するので、加熱と冷却と反復してなされ、湯と接触し、温度感知センサが容易に腐食されたり破損されたりするというような問題点があり、湯が収容される容器内部に、温度感知センサが設けられるので、洗浄に不都合でるという問題点が持続している。
【０００９】
前述の発明は、本発明が属する技術分野の背景技術を意味し、従来技術を意味するものではない。
【発明の概要】
【発明が解決しようとする課題】
【００１０】
本発明は、前述の従来の問題点を解決するために案出されたものであり、本発明の目的は、容器部材を透明のガラス材で形成させ、容器部材を加熱する電気ポット本体に、赤外線光温度センサを備え、赤外線光温度センサで、容器部材の温度を測定して制御することにより、容器部材に温度センサを設けなくてもよいので、後始末及び洗浄が容易になり、異物が挟まらず、有害物質残存が防止される赤外線光温度センサが設けられた電気ポットを提供するところにその目的がある。
【課題を解決するための手段】
【００１１】
本発明は、発熱部が設けられ、前記発熱部を制御する制御部が具備され、上面に案内管が形成された電気ポット本体と、前記電気ポット本体の上部に配置されるように、前記案内管に嵌め込まれ、前記発熱部の熱気を伝達される容器部材と、前記電気ポット本体に設けられ、前記容器に充填された湯の温度を感知する温度感知部と、前記制御部の信号を伝達され、湯の温度を表示するディスプレイ部と、からなることを特徴とする。
【００１２】
また、前記容器部材は、透明のガラス材からなることを特徴とする。
【００１３】
また、前記温度感知部は、前記容器に充填された湯の温度を感知する赤外線光温度センサであり、湯の温度を感知した感知信号を、前記制御部に伝達することを特徴とする。
【００１４】
また、前記電気ポット本体には、沸いた湯を設定温度に維持するように設定温度維持部がさらに設けられ、前記容器部材の湯を１００℃に沸かした後、前記設定温度維持部が入力された湯温度設定値信号を、前記制御部に送り、前記発熱部を制御し、湯が設定温度に維持されるようにすることを特徴とする。
【発明の効果】
【００１５】
本発明である、赤外線光温度センサが設けられた電気ポットは、容器部材を透明のガラス材で形成させ、容器部材を加熱する電気ポット本体に、赤外線光温度センサを備え、赤外線光温度センサで、容器部材の温度を測定して制御することにより、容器部材に温度センサを設けなくてもよいので、後始末及び洗浄が容易になり、異物が挟まらず、有害物質残存が防止される効果がある。
【図面の簡単な説明】
【００１６】
【図１】本発明による赤外線光温度センサが設けられた電気ポットを示した正面図である。
【図２】本発明による赤外線光温度センサが設けられた電気ポットの駆動概念を示した図面である。
【図３】本発明による赤外線光温度センサが設けられた電気ポットを示した概念図である。
【図４】本発明による赤外線光温度センサが設けられた電気ポットの他の実施形態を示した図面である。
【発明を実施するための形態】
【００１７】
以下、添付された図面を参照し、本発明による赤外線光温度センサが設けられた電気ポットの望ましい実施形態について、添付された図面を参照して説明する。この過程において、図面に図示された線の厚みや構成要素の大きさなどは、説明の明瞭性と便宜さとを考慮し、誇張されて図示されてもいる。また、後述される用語は、本発明での機能を考慮して定義された用語であり、それらは、ユーザ、運用者の意図または慣例によっても異なる。従って、かような用語に係わる定義は、本明細書全般にわたった内容を基に下されなければならないであろう。
【００１８】
また、下記実施形態は、本発明の権利範囲を限定するものではなく、ただ、例示として提示するものであり、本技術思想を介して具現される多様な実施形態がありうる。
【００１９】
図１は、本発明による赤外線光温度センサが設けられた電気ポットを示した正面図であり、図２は、本発明による赤外線光温度センサが設けられた電気ポットの駆動概念を示した図面であり、図３は、本発明による赤外線光温度センサが設けられた電気ポットを示した概念図であり、図４は、本発明による赤外線光温度センサが設けられた電気ポットの他の実施形態を示した図面である。
【００２０】
図面に図示されているように、本発明である、赤外線光温度センサが設けられた電気ポット１０（以下、説明の便宜上、電気ポットと命名する）は、水を加熱する電気ポットであり、それにより、かような電気ポット１０は、電気ポット本体２０と、容器部材３０と、温度感知部４０と、ディスプレイ部５０と、からなる。
【００２１】
前記電気ポット本体２０は、発熱部２１が設けられ、前記発熱部２１を制御する制御部２２が具備され、前記制御部２２の信号により、発熱部２１がオン／オフになる。
【００２２】
前記発熱部２１は、前記電気ポット本体２０の上部に設けられ、熱線からなっており、前記発熱部２１と接触する前記容器部材３０を加熱させる。
【００２３】
前記発熱部２１の上部には、図１でのように、金属材または合成樹脂材からなる案内管２５が融着または接着されて固定され、嵌め込まれる前記容器部材３０の移動を防止させる。
【００２４】
このとき、前記発熱部２１は、前述の熱線以外に、電気的な抵抗や信号によって発熱されるものであるならば、いずれのものが使われてもよく、高周波を前記容器部材に発散させ、充填された水を加熱させることも可能である。
【００２５】
前記容器部材３０は、前記電気ポット本体２０の上面に底面が当接するように配置されるように、前記案内管２５に下部が嵌め込まれ、前記発熱部２１の熱気が伝達されて加熱され、内部には、水が充填される。
【００２６】
このとき、前記容器部材３０は、透明のガラス材からなる。
【００２７】
すなわち、前記容器部材３０を透明のガラス材で形成させることにより、後述される前記温度感知部４０である赤外線光温度センサが、前記容器部材３０を透過して充填された湯の温度を測定することができる。
【００２８】
前記温度感知部４０は、前記電気ポット本体に設けられ、前記容器に充填された湯の温度を感知し、その感知信号を、前記制御部２２に伝達する。
【００２９】
前記制御部２２に伝達された感知信号を、前記制御部２２が、前記ディスプレイ部５０に伝達し、湯の温度が表示されるようにし、湯の温度が１００℃になれば、前記制御部２２が前記発熱部２１の駆動を終了させる。
【００３０】
前記ディスプレイ部５０は、前記温度感知部４０から、水の温度を伝達された前記制御部２２の信号を伝達され、湯の温度を表示する。
【００３１】
前記温度感知部４０は、前記容器に充填された湯の温度を感知する赤外線光温度センサであり、湯の温度を感知した感知信号を、前記制御部２２に伝達する。
【００３２】
前記電気ポット本体２０には、沸かされた湯を設定温度に維持するように、設定温度維持部２３がさらに設けられ、前記容器部材３０の湯を１００℃に沸かした後、前記設定温度維持部２３に入力された湯温度設定値信号を、前記設定温度維持部から前記制御部２２に送り、前記発熱部２１を制御し、湯が設定温度に維持されるようにする。
【００３３】
すなわち、１００℃に湯を沸して滅菌させた状態で、一定温度の湯を使う場合、ユーザが設定温度維持部２３に湯の温度を入力し、制御部２２に、設定温度維持部２３から設定温度値信号が伝達され、前記温度感知部４０から湯の温度信号が伝達されれば、設定温度より湯の温度が低ければ、前記発熱部２１を駆動させ、湯を設定温度に加熱し、湯の温度が設定温度より高ければ、発熱部２１の駆動を終了させる。
【００３４】
このとき、前記電気ポット本体２０には、入力ボタン部２４を設け、発熱部２１をオン／オフにしたり、前記設定温度維持部２３に水の設定温度を入力させたりすることが望ましい。
【図１】
2019503830.tif 000003
【図２】
2019503830.tif 000004
【図３】
2019503830.tif 000005
【図４】
2019503830.tif 000006
【手続補正書】
【提出日】平成30年6月15日(2018.6.15)
【手続補正１】
【補正対象書類名】特許請求の範囲
【補正対象項目名】全文
【補正方法】変更
【補正の内容】
【特許請求の範囲】
【請求項１】
水を加熱する電気ポットであり、
発熱部が設けられ、前記発熱部を制御する制御部が具備された電気ポット本体と、
前記電気ポット本体の上面に形成された案内管と、
前記電気ポット本体の上部に配置されるように、前記案内管に嵌め込まれ、前記発熱部の熱気を伝達される容器部材と、
前記電気ポット本体に設けられ、前記容器部材に充填された湯の温度を感知する温度感知部と、
前記制御部の信号を伝達され、湯の温度を表示するディスプレイ部と、からなる赤外線光温度センサが設けられた電気ポットにおいて、
前記発熱部の上部には、案内管が固定され、嵌め込まれる前記容器部材の移動を防止させ、
前記容器部材は、透明のガラス材からなり、
前記温度感知部は、前記容器部材に充填された湯の温度を感知する赤外線光温度センサであり、湯の温度を感知した感知信号を、前記制御部に伝達することを特徴とする赤外線光温度センサを含む電気ポット。
【請求項２】
前記電気ポット本体には、沸かした湯を設定温度に維持するように、設定温度維持部がさらに設けられ、前記容器部材の湯を１００℃に沸かした後、前記設定温度維持部が、入力された湯温度設定値信号を、前記制御部に送り、前記発熱部を制御し、湯が設定温度に維持されるようにすることを特徴とする請求項１に記載の赤外線光温度センサを含む電気ポット。
【請求項３】
前記案内管は、金属物質から形成されたことを特徴とする請求項１に記載の赤外線光温度センサを含む電気ポット。
【請求項４】
前記案内管は、合成樹脂物質から形成されたことを特徴とする請求項１に記載の赤外線光温度センサを含む電気ポット。
【請求項５】
前記発熱部は、熱線によって形成されたことを特徴とする請求項１に記載の赤外線光温度センサを含む電気ポット。
【請求項６】
水を加熱する電気ポットであり、
発熱部が設けられ、前記発熱部を制御する制御部が具備された電気ポット本体と、
前記電気ポット本体の上面に形成された案内管と、
前記電気ポット本体の上部に配置されるように、前記案内管に嵌め込まれ、前記発熱部の熱気を伝達される容器部材と、
前記電気ポット本体に設けられ、前記容器部材に充填された湯の温度を感知する赤外線光温度センサであり、湯の温度を感知した感知信号を、前記制御部に伝達することを特徴とする温度感知部と、
前記制御部の信号を伝達され、湯の温度を表示するディスプレイ部と、からなることを特徴とする電気ポット。
【請求項７】
前記電気ポット本体には、沸かした湯を設定温度に維持するように、設定温度維持部がさらに設けられ、前記容器部材の湯を１００℃に沸かした後、前記設定温度維持部が、入力された湯温度設定値信号を、前記制御部に送り、前記発熱部を制御し、湯が設定温度に維持されるようにすることを特徴とする請求項６に記載の電気ポット。
【請求項８】
前記案内管は、金属物質から形成されたことを特徴とする請求項６に記載の電気ポット。
【請求項９】
前記案内管は、合成樹脂物質から形成されたことを特徴とする請求項６に記載の電気ポット。
【請求項１０】
前記発熱部は、熱線によって形成されたことを特徴とする請求項６に記載の電気ポット。
【国際調査報告】
2019503830.tif 000007
2019503830.tif 000008
2019503830.tif 000009
2019503830.tif 000010